(57)【特許請求の範囲】
【請求項１】
供給される非圧縮又は低圧縮された映像信号を記憶保持する第１の記憶保持手段と、
上記供給される非圧縮又は低圧縮された映像信号を高圧縮して記憶保持する第２の記憶保持手段と、
上記第２の記憶保持手段に記憶保持された上記高圧縮された映像信号に基づいて編集実行順序を規定するリストを作成するリスト作成手段と、
上記第２の記憶保持手段に記憶保持された上記高圧縮された映像信号に基づく映像を表示する映像表示手段と、
上記リスト作成手段において作成された上記リストに基づいて、上記第１の記憶保持手段に記憶保持された上記非圧縮又は低圧縮された映像信号を加工編集し、当該加工編集した映像信号を出力する編集手段と
を具え、上記編集手段は上記加工編集した映像信号の上記出力先とは別に当該加工編集した映像信号を上記第２の記憶保持手段に供給し、上記第２の記憶保持手段は上記編集手段から供給された上記加工編集された映像信号を高圧縮して記憶保持し、上記映像表示手段は上記第２の記憶保持手段に記憶保持された上記加工編集された映像信号に基づく映像を表示する
ことを特徴とする映像信号処理装置。
【請求項２】
上記編集手段から出力された上記加工編集された映像信号を取り込んで記憶保持する送出信号記憶保持手段
を具えることを特徴とする請求項１に記載の映像信号処理装置。
【請求項３】
上記映像表示手段は、上記第２の記憶保持手段にネツトワークを介して接続される
ことを特徴とする請求項１に記載の映像信号処理装置。
【請求項４】
供給される非圧縮又は低圧縮された映像信号を第１の記憶保持手段に記憶保持する一方、当該映像信号を高圧縮して第２の記憶保持手段に記憶保持する記憶保持ステツプと、
上記第２の記憶保持手段に記憶保持された上記高圧縮された映像信号に基づいて編集実行順序を規定するリストを作成するリスト作成ステツプと、
上記リスト作成ステツプにおいて作成された上記リストに基づいて、上記第１の記憶保持手段に記憶保持された上記非圧縮又は低圧縮された映像信号を加工編集し、当該加工編集した映像信号を出力する編集ステツプと、
上記編集ステツプにおいて得られた上記加工編集された映像信号を上記出力先とは別に取り込んで高圧縮して上記第２の記憶保持手段に記憶保持すると共に、当該加工編集された映像信号に基づく映像を表示する映像表示ステツプと、
を具えることを特徴とする映像信号処理方法。
【請求項５】
上記映像表示ステツプでは、上記第２の記憶保持手段からネットワークを介して上記加工編集された映像信号を読み出して、当該加工編集された映像信号に基づく映像を表示する
ことを特徴とする請求項４に記載の映像信号処理方法。
【発明の詳細な説明】
【０００１】
【目次】
以下の順序で本発明を説明する。
【０００２】
発明の属する技術分野
従来の技術（図３）
発明が解決しようとする課題（図３）
課題を解決するための手段（図１及び図２）
発明の実施の形態
（１）本実施の形態によるニユース番組制作放送システムの構成（図１）
（２）システム制御部の各種処理（図２）
（３）実施の形態の動作及び効果
（４）他の実施の形態
発明の効果
【０００３】
【発明の属する技術分野】
本発明は映像信号処理装置及び映像信号処理方法に関し、例えばニユース番組制作放送システムに適用して好適なものである。
【０００４】
【従来の技術】
従来、この種のニユース番組制作放送システムの１つとして、図３に示すように構成されたものがある。
【０００５】
かかる構成のニユース番組制作放送システム１においては、デイスクアレイ構成の記録再生部を有する第１及び第２のＡＶ（Audio Video ）サーバ２及び３と、複数台の編集装置４Ａ〜４Ｎと、システム１全体の制御を司るシステム制御部５と、各種データが格納されたデータ記憶装置６と、複数台の参照閲覧装置７Ａ〜７Ｎとがネツトワーク８を介して接続されている。
【０００６】
この場合第１のＡＶサーバ２は、取材により得られた非圧縮又は低圧縮された映像音声データＤ１Ａ〜Ｄ１Ｎをシステム制御部５の制御のもとに同時に取り込み、これをフアイル化して記録再生部内の指定されたアドレス位置に格納する。
【０００７】
ここで各編集装置４Ａ〜４Ｎは、オペレータのマニユアル操作により編集処理し得るようになされており、オペレータによりフアイルの読み出し命令が入力されると、システム制御部５の制御のもとに第１のＡＶサーバ２から対応するフアイルのデータ（映像音声データＤ１Ａ〜Ｄ１Ｎ）を読み出してこれに基づく映像をモニタ表示する。
【０００８】
この状態においてオペレータは、編集装置４Ａ〜４Ｎのモニタに表示された映像を目視確認しながらイン点及びアウト点等の編集に必要な各種情報を編集装置４Ａ〜４Ｎに入力することにより映像音声データＤ１Ａ〜Ｄ１Ｎを所定状態に加工編集することができる。
【０００９】
編集装置４Ａ〜４Ｎにおいて得られた編集された映像音声データＤ２Ａ〜Ｄ２Ｎは、当該編集装置４Ａ〜４Ｎから第２のＡＶサーバ３に送出され、システム制御部５の制御のもとに第２のＡＶサーバ３に順次取り込まれ、フアイル化されて記録再生部内の指定されたアドレス位置に格納される。
【００１０】
このときシステム制御部５は、編集された映像音声データＤ２Ａ〜Ｄ２Ｎの放送時刻を管理しており、所定時刻になるとデータ記憶装置６内に予め記憶された二ユース映像の送出順番を規定したキユーシートに基づいて第２のＡＶサーバ３から対応する各映像音声データＤ２Ａ〜Ｄ２Ｎを順次読み出して外部のオンエア機器（図示せず）に送出し、かくして映像音声データＤ２Ａ〜Ｄ２Ｎをオンエア機器を介して放送することができる。
【００１１】
因みに各参照閲覧装置７Ａ〜７Ｎは、第２のＡＶサーバ３に格納された映像音声データＤ２Ａ〜Ｄ２Ｎを読み出してこれに基づく映像をモニタ表示し得るようになされている。従つてオペレータは、参照閲覧装置７Ａ〜７Ｎを用いて第２のＡＶサーバ３からオンエア機器に送出される前の映像音声データＤ２Ａ〜Ｄ２Ｎを読み出してこれに基づく映像をモニタ表示させることにより、実際に放送されるニユース映像の編集結果をその放送前に目視確認することができるようになされている。
【００１２】
このようにしてニユース番組制作放送システム１では、取材によつて得られた映像音声データＤ１Ａ〜Ｄ１Ｎを所望の状態に編集して所定時刻に放送し得るようになされている。
【００１３】
【発明が解決しようとする課題】
ところでかかる構成のニユース番組制作放送システム１においては、当該システム１が比較的大型化されていることにより、例えば各編集装置４Ａ〜４Ｎが編集室と呼ばれる部屋に設置され、また各参照閲覧装置８Ａ〜８Ｎが復調整室と呼ばれる部屋に設置される等のように各装置が別々の部屋に設置されている。
【００１４】
このため副調整室とは別の部屋で番組制作に携わる番組制作担当者やニユース原稿作成者等の関連業務者が編集された映像の参照閲覧を希望した場合には、その都度作業を中断して副調整室に行く必要があり、作業効率が著しく低下することがある。従つて最近では、作業の高効率化を図るうえでも参照閲覧装置８Ａ〜８Ｎの数を増加させて複数の部屋に配置することにより各部屋から映像の編集結果を確認し得るようにする要望が高まつている。
【００１５】
しかしながらこのニユース番組制作放送システム１においては、第２のＡＶサーバ３に接続し得る参照閲覧装置７Ａ〜７Ｎの数の上限が当該第２のＡＶサーバ３の転送能力によつて決定し、システム的に参照閲覧装置８Ａ〜８Ｎの数を容易には増加させ難い問題があつた。
【００１６】
本発明は以上の点を考慮してなされたもので、番組制作の作業効率を向上し得る映像信号処理装置及び映像信号処理方法を提案しようとするものである。
【００１７】
【課題を解決するための手段】
かかる課題を解決するため本発明においては、供給される非圧縮又は低圧縮された映像信号を記憶保持する第１の記憶保持手段と、供給される非圧縮又は低圧縮された映像信号を高圧縮して記憶保持する第２の記憶保持手段と、第２の記憶保持手段に記憶保持された高圧縮された映像信号に基づいて編集実行順序を規定するリストを作成するリスト作成手段と、第２の記憶保持手段に記憶保持された高圧縮された映像信号に基づく映像を表示する映像表示手段と、リスト作成手段において作成されたリストに基づいて、第１の記憶保持手段に記憶保持された非圧縮又は低圧縮された映像信号を加工編集し、当該加工編集した映像信号を出力する編集手段とを設け、編集手段において加工編集した映像信号の出力先とは別に当該加工編集した映像信号を第２の記憶保持手段に供給し、当該第２の記憶保持手段においてその加工編集された映像信号を高圧縮して記憶保持し、映像表示手段において、第２の記憶保持手段に記憶保持された加工編集された映像信号に基づく映像を表示させるようにした。
【００１８】
この結果、第２の記憶保持手段に接続し得る映像表示手段の数を大幅に増加させることができ、これにより映像表示手段を番組制作を行う複数の部屋にそれぞれ配置してその部屋で番組作成に携わる関連業務者に自室から実際に放送されるニユース映像の編集結果をその放送の前に確認させることができる。
【００１９】
また、供給される非圧縮又は低圧縮された映像信号を第１の記憶保持手段に記憶保持する一方、当該映像信号を高圧縮して第２の記憶保持手段に記憶保持し、当該第２の記憶保持手段に記憶保持された高圧縮された映像信号に基づいて編集実行順序を規定するリストを作成し、当該作成されたリストに基づいて、第１の記憶保持手段に記憶保持された非圧縮又は低圧縮された映像信号を加工編集し、当該加工編集した映像信号を出力すると共に、その加工編集された映像信号を出力先とは別に取り込んで高圧縮して第２の記憶保持手段に記憶保持すると共に、当該加工編集された映像信号に基づく映像を表示するようにした。
【００２０】
この結果、番組作成に携わる複数の関連業務者がそれぞれ自室に居ながらにして実際に放送されるニユース映像の編集結果をその放送の前に目視確認することができる。
【００２１】
【発明の実施の形態】
以下図面について、本発明の一実施の形態を詳述する。
【００２２】
（１）本実施の形態によるニユース番組制作放送システムの構成
図１において、２０は全体として本発明を適用したニユース番組制作放送システムを示し、取材により得られた映像音声データをどのように編集するかといつた編集実行順序を規定したリスト（以下、これをＥＤＬ（Edit Decision List）と呼ぶ）をオペレータが作成するためのオフラインＥＤＬ作成系２２と、編集した各映像音声データの放送順番を規定したリスト（以下、これをオンエアリストと呼ぶ）や、二ユース原稿及び当該二ユース原稿の使用順番を規定したリストをオペレータが作成するためのオンエアリスト作成系２３と、オフラインＥＤＬ作成系２２において作成されたＥＤＬに基づいて編集処理を実行するオンライン編集送出系２４と、必要な映像音声データを保管するためのアーカイブ２５と、このニユース番組制作放送システム２０全体の制御を司るシステム制御部２６とから構成され、これらオフラインＥＤＬ作成系２２、オンエアリスト作成系２３、オンライン編集送出系２４、アーカイブ２５及びシステム制御部２６がＬＡＮ（Local Area Network）２７を介して接続されている。
【００２３】
この場合このニユース番組制作放送システム２０には、取材現場から電話回線又は衛星通信回線等の電送回線を介して転送され、又は取材テープからビデオテープレコーダにより再生された映像音声データＤ１０が複数系統で供給され、これがオンライン編集送出系２４のデイリーサーバ３０及びオフラインＥＤＬ作成系２２の入力バツフア装置３１に入力する。なお以下の説明においては、各映像音声データＤ１０は非圧縮又は低圧縮（例えばＭＰＥＧ（Moving Picture Experts Group）２  ４２２プロフアイルアツトメインレベル規格による圧縮）で供給されているものとする。
【００２４】
デイリーサーバ３０においては、デイスクアレイ構成の記録再生部と、例えばＭＰＥＧ２に代表される専用のデータ圧縮伸長部とを有する高速でのデータ入出力が可能なＡＶサーバでなり、システム制御部２６の制御のもとに、供給される各映像音声データＤ１０のなかから指定された複数系統の映像音声データＤ１０を同時に取り込み、これらをそれぞれフアイル化して記録再生部内の指定されたアドレス位置に格納する。
【００２５】
一方入力バツフア装置３１は、システム制御部２６の制御のもとに、供給される各映像音声データＤ１０のなかからデイリーサーバ３０と同じ系統の映像音声データＤ１０を順次取り込む。そして入力バツフア装置３１は、この取り込んだ映像音声データＤ１０が実時間よりも速い高速の場合には当該映像音声データＤ１０を複数チヤンネルに時分割すると共に、各チヤンネルの映像音声データＤ１０をそれぞれ実時間に伸長し、かくして得られた各チヤンネルの映像音声データＤ１１をそれぞれエンコーダ部３２に送出する。これに対して入力バツフア装置３１は、この取り込んだ映像音声データＤ１０が実時間速度である場合には、当該映像音声データＤ１０をそのままエンコーダ部３２に送出する。
【００２６】
エンコーダ部３２は、供給される映像音声データＤ１０又は各映像音声データＤ１１を順次取り込み、これをＪＰＥＧ（Joint Photographic Experts Group）方式等の所定の圧縮方式で２〔Mbps〕程度に高能率符号化し、得られた高圧縮符号化データＤ１２をクリツプサーバ３３に送出する。
【００２７】
クリツプサーバ３３は、デイスクアレイ構成の記録再生部を有するＡＶサーバでなり、入力する高圧縮符号化データＤ１２をシステム制御部２６の制御のもとに順次取り込み、これをフアイル化して記録再生部内の指定されたアドレス位置に格納する。
【００２８】
そしてこのクリツプサーバ３３に収録された各フアイルのデータ（高圧縮符号化データＤ１２）は、当該クリツプサーバ３３に接続された複数台の各ＥＤＬ作成装置３４Ａ〜３４Ｎをそれぞれ用いて読み出すことができる。
【００２９】
実際上各ＥＤＬ作成装置３４Ａ〜３４Ｎは、ＥＤＬ作成モード時、オペレータにより所望のフアイルの読み出し命令が入力されると、クリツプサーバ３３及びＬＡＮ２７を順次介してシステム制御部２６にアクセスし、当該システム制御部２６を介してクリツプサーバ３３を制御することにより、当該クリツプサーバ３３に対応するフアイルの高圧縮符号化データＤ１２を順次読み出させる。
【００３０】
またＥＤＬ作成装置３４Ａ〜３４Ｎは、このクリツプサーバ３３から読み出させた高圧縮符号化データＤ２０を復号し、得られた映像音声データに基づく映像をモニタ表示する。
【００３１】
このときオペレータは、ＥＤＬ作成装置３４Ａ〜３４Ｎを介してクリツプサーバ３３を制御し、当該クリツプサーバ３３に所望の動作（再生、巻戻し又は早送り等）を実行させることができ、またこのとき当該ＥＤＬ作成装置３４Ａ〜３４Ｎのモニタに表示された映像を目視確認しながらイン点及びアウト点等の編集に必要な各種情報を当該ＥＤＬ作成装置３４Ａ〜３４Ｎに入力するようにしてＥＤＬを作成することができる。
【００３２】
さらにＥＤＬ作成装置３４Ａ〜３４Ｎは、作成されたＥＤＬに基づいてクリツプサーバ３３から対応する高圧縮符号化データＤ２０を読み出してこれを復号し、得られた映像音声データをＥＤＬに基づいて加工編集し、編集結果をモニタ表示することができ、これにより作成したＥＤＬに基づく編集結果をオペレータ及びデイレクタ等が確認することができるようになされている。
【００３３】
そしてこのＥＤＬ作成装置３４Ａ〜３４Ｎを用いて作成されたＥＤＬのデータ（以下、これをＥＤＬデータと呼ぶ）は、当該ＥＤＬ作成装置３４Ａ〜３４Ｎからクリツプサーバ３３及びＬＡＮ２７を順次介してシステム制御部２６に転送され、当該システム制御部２６の制御のもとに外部記憶装置３５にデータベースとして登録される。
【００３４】
一方オンエアリスト作成系２３においては、パーソナルコンピユータ構成のデータベース管理装置３６と、外部記憶装置３７と、データベース管理装置３６とネツトワーク３８を介して接続された複数台のパーソナルコンピユータ３９Ａ〜３９Ｎとから構成されており、これらパーソナルコンピユータ３９Ａ〜３９Ｎを用いてオンエアリストや、各ニユース番組における各ニユース項目のアナウンサが読む原稿を作成し得るようになされている。
【００３５】
そしてこれら作成されたオンエアリスト及び原稿の各データは、データベース管理装置３６の制御のもとに外部記憶装置３７にデータベースとして登録されると共に、オンエアリストのデータ（以下、これをオンエアリストデータと呼ぶ）がＬＡＮ２７を介してシステム制御部２６に与えられ、これが外部記憶装置３５にデータベースとして登録される。
【００３６】
そしてシステム制御部２６は、この外部記憶装置３５に登録されたＥＤＬデータ及びオンエアリストデータに基づいてオンライン編集送出系２４を制御する。
【００３７】
実際上システム制御部２６は、オンライン編集送出系２４のデイリーサーバ３０と接続された複数台の自動編集装置でなるＥＤＬ実行装置４０Ａ〜４０Ｃの稼働状態を常時監視しており、いずれかのＥＤＬ実行装置４０Ａ〜４０Ｃが先行する後述の編集処理を終了すると、外部記憶装置３５に記憶されたＥＤＬデータをオンエアリストデータに基づいてオンエアの早いものを優先的に読み出し、これをＬＡＮ２７を介してそのＥＤＬ実行装置４０Ａ〜４０Ｃに送出する。
【００３８】
ＥＤＬ実行装置４０Ａ〜４０Ｃは、システム制御部２６から与えられるＥＤＬデータに基づいてデイリーサーバ３０を制御し、当該デイリーサーバ３０に格納されている非圧縮又は低圧縮された映像音声データＤ１０のなかから必要な映像音声データＤ１０を順次読み出させる。またＥＤＬ実行装置４０Ａ〜４０Ｃは、この映像音声データＤ１０が低圧縮されている場合にはこれを復号した後、この映像音声データＤ１０を与えられたＥＤＬデータに基づいて指定された状態に加工編集し、得られた映像音声データＤ１３Ａ〜Ｄ１３Ｃをそれぞれエンコーダ部３２及びオンエアサーバ４１に送出する。
【００３９】
なおデイリーサーバ３０にはマニユアル操作の編集装置４２も接続されており、オペレータが当該編集装置４２を用いてデイリーサーバ３０に格納された映像音声データＤ１０を読み出し、加工編集することもできる。そしてこの結果得られた編集された映像音声データＤ１３Ｄがオンエアサーバ４１に送出される。
【００４０】
ここでまずエンコーダ部３２は、上述した映像音声データＤ１１が入力された場合と同様に、加工編集された映像音声データＤ１３Ａ〜Ｄ１３ＣをＪＰＥＧ方式等の所定の圧縮方式で２〔Mbps〕程度に高能率符号化し、かくして得られる高圧縮符号化データＤ１４をクリツプサーバ３３に送出する。これによりクリツプサーバ３３は、システム制御部２６の制御のもとに高圧縮符号化データＤ１４を順次取り込み、これをフアイル化して記録再生部内の指定されたアドレス位置に格納する。
【００４１】
この場合クリツプサーバ３３に格納された各フアイルのデータ（編集された映像音声データＤ１３Ａ〜Ｄ１３Ｃからなる高圧縮符号化データＤ１４）は、当該クリツプサーバ３３にＬＡＮ２７を介して接続された複数台の各参照閲覧装置４３Ａ〜４３Ｎをそれぞれ用いて読み出すことができる。
【００４２】
実際上各参照閲覧装置４３Ａ〜４３Ｎは、参照閲覧モード時、オペレータにより所望のフアイル（高圧縮符号化データＤ１４のフアイル）の読み出し命令が入力されると、クリツプサーバ３３及びＬＡＮ２７を順次介してシステム制御部２６にアクセスし、当該システム制御部２６を介してクリツプサーバ３３を制御することにより、当該クリツプサーバ３３に対応するフアイルの高圧縮符号化データＤ２１を読み出させる。
【００４３】
また参照閲覧装置４３Ａ〜４３Ｎは、クリツプサーバ３３から読み出させた高圧縮符号化データＤ２１を復号し、かくして得られた映像音声データに基づく映像をモニタ表示し、かつ当該映像音声データに基づく音声をスピーカから出力させる。
【００４４】
なおこのときオペレータは、参照閲覧装置４３Ａ〜４３Ｎを介してクリツプサーバ３３を制御し、当該クリツプサーバ３３に所望の動作（再生、巻戻し又は早送り等）を実行させることができ、かくしてモニタ表示された映像の編集結果を必要に応じて詳細に目視確認し得るようになされている。
【００４５】
一方オンエアサーバ４１は、デイスクアレイ構成の記録再生部を有するＡＶサーバでなり、入力する映像音声データＤ１３Ａ〜Ｄ１３Ｄをシステム制御部２６の制御のもとに順次取り込み、これをフアイル化して記録再生部内の指定されたアドレス位置に格納する。
【００４６】
そしてこのオンエアサーバ４１に収録された各フアイルデータ（編集された映像音声データＤ１３Ａ〜Ｄ１３Ｄ）は、この後外部記憶装置３５に格納されたオンエアリストデータに基づいて、ＬＡＮ２７に接続されたパーソナルコンピユータ構成のオンエアターミナル４４により放送時刻が管理され、指定された時刻になるとシステム制御部２６の制御のもとにオンエアサーバ４１から読み出されて図示しない後段のオンエア装置に送出される。
【００４７】
このようにしてこのニユース番組制作放送システム２０では、オフラインＥＤＬ作成系２２において作成されたＥＤＬに基づいてオンライン編集送出系２４において非圧縮又は低圧縮された映像音声データＤ１０を用いて編集処理を実行し、得られた映像音声データＤ１３Ａ〜Ｄ１３Ｄをオンエアリストデータに基づいてオンエア装置に送出し得るようになされ、これにより指定された時刻に指定された状態に編集されたニユース映像及び音声を放送させることができるようになされている。
【００４８】
かかる構成に加えこのニユース番組制作放送システム２０の場合、オンライン編集送出系２４には、例えばＭＯ（Magnnet Optical ）チエンジヤ等の安価なかつ記憶容量の大きい記録再生部を有するＡＶサーバでなるニアラインサーバ４５が設けられており、システム制御部２６の制御のもとに、デイリーサーバ３０及びオンエアサーバ４１に格納された映像音声データＤ１０、Ｄ１３Ａ〜Ｄ１３Ｄをニアラインサーバ４５に転送し、これを当該ニアラインサーバ４５内に格納することができるようになされている。
【００４９】
またニアラインサーバ４５内に格納された映像音声データＤ１０、Ｄ１３Ａ〜Ｄ１３Ｄは、システム制御部２６の制御のもとに、デイリーサーバ３０に転送して当該デイリーサーバ３０内に格納することができ、これにより高価なデイスクアレイ構成のデイリーサーバ３０の記録再生部の記憶容量を増加させることなく、オンライン編集送出系２４の入力段の記憶容量を増加させ得るようになされている。
【００５０】
さらにニアラインサーバ４５は、ＳＣＳＩ（Small Computer System Interface ）等の所定のインターフエイスを介してアーカイブ２５内のカートマシン４６と接続されており、システム制御部２６の制御のもとに、ニアラインサーバ４５内の映像音声データＤ１０、Ｄ１３Ａ〜Ｄ１３Ｄをアーカイブ２５内のカートマシン４６に転送し、当該映像音声データＤ１０、Ｄ１３Ａ〜Ｄ１３Ｄをこのカートマシン４６を介して磁気テープ等の所定の記録媒体に記録することができる。これによりこのニユース番組制作放送システム２０では、必要な映像音声データを資料として保管し得るようになされている。
【００５１】
このときアーカイブ２５に接続されたパーソナルコンピユータ構成のデータベース管理装置４７には、システム制御部２６からＬＡＮ２７を介してその映像音声データＤ１０、Ｄ１３Ａ〜Ｄ１３Ｄの内容に関する各種管理データが供給される。そしてこの各種管理データがデータベース管理装置４７の制御のもとに、外部記憶装置４８に与えられ、データベースとして保管される。
【００５２】
さらにこのときアーカイブ２５のデータベース管理装置４７には、システム制御部２６の制御のもとに、オンエアリスト作成系２３のデータベース管理装置３６からＬＡＮ２７を介してその映像音声データＤ１０、Ｄ１３Ａ〜Ｄ１３Ｄに対応する原稿データを転送させることができ、これをデータベース管理装置４７の制御のもとに外部記憶装置４８内にデータベースとして登録させることもできる。
【００５３】
またアーカイブ２５内に保管された磁気テープ等の記録媒体に記録された映像音声データＤ１０、Ｄ１３Ａ〜Ｄ１３Ｄは、カートマシン４６により再生してオフラインＥＤＬ作成系２２の入力バツフア装置３１及びオンライン編集送出系２４のデイリーサーバ３０に転送することができ、これにより保管した映像音声データＤ１０、Ｄ１３Ａ〜Ｄ１３Ｄを再び編集に利用することができるようになされている。
【００５４】
なおこのニユース番組制作放送システム２０の場合、ＬＡＮ２７にはパーソナルコンピユータ構成のフアイリングターミナル４９が接続されており、当該フアイリングターミナル４９を用いて、入力バツフア装置３１及びデイリーサーバ３０に取り込ませる映像音声データＤ１０の指定や、当該指定した映像音声データＤ１０のフアイル名の入力、及びデイリーサーバ３０に収録された映像音声データＤ１０の内容確認を行うことができるようになされている。
【００５５】
またこのニユース番組制作放送システム２０の場合、ＬＡＮ２７にはパーソナルコンピユータ構成のＥＤＬプレビユーターミナル５０も接続されており、当該ＥＤＬプレビユーターミナル５０を用いて外部記憶装置３５内に格納されたＥＤＬデータを読み出し、当該ＥＤＬデータに基づく編集をいずれかのＥＤＬ実行装置４０Ａ〜４０Ｃに実行させて、その実行結果をそのＥＤＬ実行装置４０Ａ〜４０Ｃに接続された図示しないモニタに表示させ、スピーカから出力させることができる。
【００５６】
さらにこのニユース番組制作放送システム２０の場合、オンエアターミナル４４を用いてオンエアサーバ４１に格納された所望のフアイルデータ（編集された映像音声データＤ１３Ａ〜Ｄ１３Ｄ）を読み出し、当該フアイルデータに基づく映像及び音声をオンエアサーバ４１に接続された図示しないモニタに表示させ、スピーカから出力させることができ、これによりオペレータが実際に放送される編集されたニユース映像を放送前に事前に確認することができるようになされている。
【００５７】
（２）システム制御部の各種処理
ここでニユース番組制作放送システム２０では、上述したようなＥＤＬ作成処理、及び映像音声データＤ１０の編集処理、並びに編集された映像の参照閲覧処理がシステム制御部２６の制御のもとに行われる。
【００５８】
実際上システム制御部２６は、図２に示すように、オペレータの操作に基づいてＥＤＬ作成装置３４Ａ〜３４Ｎからクリツプサーバ３３内に格納されたフアイルの閲覧要求が得られると、当該クリツプサーバ３３の制御部３３Ａに再生要求を与えると共に、この結果としてクリツプサーバ３３の制御部３３Ａから許可が得られると、対応するＥＤＬ作成装置３４Ａ〜３４Ｎに閲覧許可を与える。
【００５９】
そしてシステム制御部２６は、この後そのＥＤＬ作成装置３４Ａ〜３４Ｎから所定フアイルの閲覧命令が得られると、クリツプサーバ３３の制御部３３Ａに閲覧命令により指定されたフアイルの再生命令を与えることにより、当該クリツプサーバ３３の制御部３３Ａを介して記録再生部３３Ｂから対応するフアイルの高圧縮符号化データＤ２０を読み出させ、これを対応するＥＤＬ作成装置３４Ａ〜３４Ｎに送出させる。
【００６０】
このようにしてシステム制御部２６は、この後ＥＤＬ作成装置３４Ａ〜３４Ｎから閲覧要求が得られるごとに同様の動作を実行し、これにより指定されたフアイルの高圧縮符号化データＤ２０に基づく映像を順次ＥＤＬ作成装置３４Ａ〜３４Ｎのモニタに表示させる。
【００６１】
またシステム制御部２６は、この後ＥＤＬ作成装置３４Ａ〜３４Ｎから作成されたＥＤＬの登録要求及びＥＤＬデータが得られると、これを外部記憶装置３５に格納する。
【００６２】
さらにシステム制御部２６は、各ＥＤＬ実行装置４０Ａ〜４０Ｃの稼働状態を常時監視し、いずれかのＥＤＬ実行装置４０Ａ〜４０Ｃが空き状態になると、外部記憶装置３５からＥＤＬデータを読み出し、これを当該空き状態のＥＤＬ実行装置４０Ａ〜４０Ｃに送出する。
【００６３】
このようにしてシステム制御部２６は、この後そのＥＤＬ実行装置４０Ａ〜４０ＣからＥＤＬに基づく編集処理対象の映像音声データＤ１０の再生要求が得られると、デイリーサーバ３０の制御部３０Ａに再生要求を与えると共に、オンエアサーバ４１の制御部４１Ａ及びクリツプサーバ３３の制御部３３Ａに収録要求を与える。
【００６４】
システム制御部２６は、この結果としてデイリーサーバ３０の制御部３０Ａ及びオンエアサーバ４１の制御部４１Ａ並びにクリツプサーバ３３の制御部３３Ａからそれぞれ許可が得られると、デイリーサーバ３０の制御部３０Ａに指定された映像音声データＤ１０の再生命令を与えることにより、当該デイリーサーバ３０の制御部３０Ａを介して記録再生部３０Ｂからその映像音声データＤ１０を読み出させて対応するＥＤＬ実行装置４０Ａ〜４０Ｃに送出させる。
【００６５】
このときシステム制御部２６は、オンエアサーバ４１の制御部４１Ａ及びクリツプサーバ３３の制御部３３Ａに収録要求を与えることにより、このときＥＤＬ実行装置４０Ａ〜４０Ｃから出力される編集された映像音声データＤ１３Ａ〜Ｄ１３Ｃを順次オンエアサーバ４１の記録再生部４１Ｂ内に格納させると共に、当該編集された映像音声データＤ１３Ａ〜Ｄ１３Ｃを高能率符号化させてクリツプサーバ３３の記録再生部３３Ｂ内に格納させる。
【００６６】
この後システム制御部２６は、オペレータの操作に基づいて参照閲覧装置４３Ａ〜４３Ｎからクリツプサーバ３３内に格納されたフアイルの閲覧要求が得られると、当該クリツプサーバ３３の制御部３３Ａに再生要求を与える一方、この結果としてクリツプサーバ３３の制御部３３Ａから許可が得られると、対応する参照閲覧装置４３Ａ〜４３Ｎに閲覧許可を与える。
【００６７】
そしてシステム制御部２６は、この後その参照閲覧装置４３Ａ〜４３Ｎから所定フアイルの閲覧命令が得られると、クリツプサーバ３３の制御部３３Ａに閲覧命令により指定されたフアイルの再生命令を与えることにより、当該クリツプサーバ３３の制御部３３Ａを介して記録再生部３３Ｂから対応するフアイルの高圧縮符号化データＤ２１を読み出させ、これを対応する参照閲覧装置４３Ａ〜４３Ｎに送出させる。このようにしてシステム制御部２６は、参照閲覧装置４３Ａ〜４３Ｎからフアイルの閲覧要求が得られるごとに同様の動作を実行し、指定されたフアイルの高圧縮符号化データＤ２１に基づく編集された映像を対応する参照閲覧装置４３Ａ〜４３Ｎのモニタに表示させ、当該高圧縮符号化データＤ２１に基づく音声を対応する参照閲覧装置４３Ａ〜４３Ｎのスピーカから出力させる。
【００６８】
（３）実施の形態の動作及び効果
以上の構成において、ニユース番組制作放送システム２０では、まず取材によつて得られた非圧縮又は低圧縮された映像音声データＤ１０をデイリーサーバ３０に格納すると共に、当該映像音声データＤ１０を高能率符号化してクリツプサーバ３３に格納する。そしてクリツプサーバ３３に格納された高圧縮符号化データＤ２０をＥＤＬ作成装置３４Ａ〜３４Ｎによつて読み出してこれに基づく映像をモニタ表示し、当該映像に基づいてＥＤＬを作成する。なおこのようにして作成したＥＤＬは、外部記憶装置３５に登録する。
【００６９】
またニユース番組制作放送システム２０では、外部記憶装置３５に格納されたＥＤＬデータを必要に応じて読み出してＥＤＬ実行装置４０Ａ〜４０Ｃに送出し、これによりＥＤＬ実行装置４０Ａ〜４０ＣにおいてＥＤＬデータに基づいてデイリーサーバ３０から読み出した対応する映像音声データＤ１０を編集処理する。このときＥＤＬ実行装置４０Ａ〜４０Ｃから得られた編集されてなる映像音声データＤ１３Ａ〜Ｄ１３Ｃは、オンエアサーバ４１内に格納すると共に、当該映像音声データＤ１３Ａ〜Ｄ１３Ｃを高能率符号化してクリツプサーバ３３内に格納する。
【００７０】
このようにしてニユース番組制作放送システム２０では、クリツプサーバ３３に格納された編集されてなる高圧縮符号化データＤ２１を参照閲覧装置４３Ａ〜４３Ｎによつて読み出してこれに基づく映像をモニタ表示し、かつ当該高圧縮符号化データＤ２１に基づく音声をスピーカから出力させる。
【００７１】
この場合ニユース番組制作放送システム２０では、ＥＤＬ実行装置４０Ａ〜４０Ｃから得られる編集されてなる非圧縮又は低圧縮された映像音声データＤ１３Ａ〜Ｄ１３Ｃを高能率符号化してクリツプサーバ３３内に格納するようにしたことにより、従来のニユース番組制作放送システム１（図３）に設けられた第２のＡＶサーバ３（図３）と、クリツプサーバ３３とが同じ構成でなるとすると、当第２のＡＶサーバ３に比べてクリツプサーバ３３の転送能力を格段的に高くすることができる。従つて第２のＡＶサーバ３に接続し得る参照閲覧装置７Ａ〜７Ｎの数に比べて、クリツプサーバ３３に接続し得る参照閲覧装置４３Ａ〜４３Ｎの数を大幅に増加させることができる。
【００７２】
これに加えて各参照閲覧装置４３Ａ〜４３Ｎは、クリツプサーバ３３にＬＡＮ２７を介して接続されていることにより、番組作成を行う複数の部屋にそれぞれ設置することができる。すなわち、各部屋でそれぞれ番組作成に携わる関連業務者に自室の参照閲覧装置４３Ａ〜４３Ｎを用いて、実際に放送されるニユース映像の編集結果をその放送の前に確認させることができる。
【００７３】
またこのニユース番組制作放送システム２０では、クリツプサーバ３３からＥＤＬ作成装置３４Ａ〜３４Ｎを用いて編集前の高圧縮符号化データＤ２０を読み出し、当該クリツプサーバ３３から参照閲覧装置４３Ａ〜４３Ｎを用いて編集されてなる高圧縮符号化データＤ２１を読み出すことができることにより、１つの映像において加工編集されて得られた部分と、これに対応する編集前の部分とが等化であるかどうかを確認させることにより、オフラインＥＤＬ作成系２２と、オンライン編集送出系２４とのＬＡＮ２７上等でデータにエラーが生じているかどうかを知ることができ、かくして映像の閲覧参照をシステムの簡単な保守点検にも利用することができる。
【００７４】
以上の構成によれば、取材によつて得られる非圧縮又は低圧縮された映像音声データＤ１０をデイリーサーバ３０に格納すると共に、当該映像音声データＤ１０を高能率符号化してクリツプサーバ３３に格納し、当該クリツプサーバ３３に格納された高圧縮符号化データＤ２０に基づいて各ＥＤＬ作成装置３４Ａ〜３４ＮによりＥＤＬを作成し、各ＥＤＬ作成装置３４Ａ〜３４Ｎにおいて作成されたＥＤＬに基づいて、デイリーサーバ３０に格納された対応する映像音声データＤ１０を各ＥＤＬ実行装置４０Ａ〜４０Ｃにより加工編集し、かくして得られた映像音声データＤ１３Ａ〜Ｄ１３Ｃを高能率符号化してクリツプサーバ３３に格納し、当該クリツプサーバ３３に格納された高圧縮符号化データＤ２１を参照閲覧装置４３Ａ〜４３Ｎを用いて読み出してこれに基づく映像をモニタ表示すると共に、音声をスピーカから出力させるようにしたことにより、クリツプサーバ３３に接続し得る参照閲覧装置４３Ａ〜４３Ｎの数を大幅に増加させることができ、これにより当該増加させた各参照閲覧装置４３Ａ〜４３Ｎを番組作成を行う複数の部屋にそれぞれ設置して、各部屋でそれぞれ番組作成に携わる関連業務者にその自室から、実際に放送されるニユース映像の編集結果をその放送の前に確認させることができ、かくして番組作成の作業効率を向上し得るニユース番組制作放送システムを実現することができる。
【００７５】
（４）他の実施の形態
なお上述の実施の形態においては、ＥＤＬ実行装置４０Ａ〜４０Ｃにより得られる編集された映像音声データＤ１３Ａ〜Ｄ１３Ｃをエンコーダ部３２においてＪＰＥＧ方式等の所定の圧縮方式で２〔Mbps〕程度に高能率符号化するようにした場合について述べたが、本発明はこれに限らず、当該映像音声データＤ１３Ａ〜Ｄ１３Ｃを所定の圧縮方式で２〔Mbps〕程度の高能率符号化よりもさらに高圧縮するようにしても良い。これによりクリツプサーバ３３における転送能力をさらに高くすることができ、これに応じて参照閲覧装置４３Ａ〜４３Ｎの数をさらに増加させることができる。
【００７６】
また上述の実施の形態においては、ＥＤＬ実行装置４０Ａ〜４０Ｃにより得られた編集された映像音声データＤ１３Ａ〜Ｄ１３Ｃをエンコーダ部３２を介してクリツプサーバ３３に格納させるようにした場合について述べたが、本発明はこれに限らず、当該編集された映像音声データＤ１３Ａ〜Ｄ１３Ｃを入力バツフア部３１及びエンコーダ部３２を順次介してクリツプサーバ３３に格納させるようにしても良い。
【００７７】
さらに上述の実施の形態においては、参照閲覧装置４３Ａ〜４３Ｎにより編集された映像を参照閲覧し得るようにした場合について述べたが、本発明はこれに限らず、参照閲覧装置４３Ａ〜４３Ｎを用いて、編集された映像に加えて編集前の映像も参照閲覧し得るようにしても良い。これにより参照閲覧装置４３Ａ〜４３Ｎの使い勝手を向上し得る。
【００７８】
さらに上述の実施の形態においては、供給される非圧縮又は低圧縮された映像信号Ｄ１０を記憶保持する第１の記憶保持手段として、デイリーサーバ３０を適用するようにした場合について述べたが、本発明はこれに限らず、供給される非圧縮又は低圧縮された映像信号Ｄ１０を記憶保持することができれば、メモリ等のこの他種々の構成でなる第１の記憶保持手段を適用するようにしても良い。
【００７９】
さらに上述の実施の形態においては、供給される非圧縮又は低圧縮された映像信号Ｄ１０を高圧縮して記憶保持する第２の記憶保持手段として、エンコーダ部３２及びクリツプサーバ３３を適用するようにした場合について述べたが、本発明はこれに限らず、供給される非圧縮又は低圧縮された映像信号Ｄ１０を高圧縮して記憶保持することができれば、この他種々の構成からなる第２の記憶保持手段を適用するようにしても良い。
【００８０】
さらに上述の実施の形態においては、第２の記憶保持手段３２及び３３に記憶保持された高圧縮された映像信号Ｄ２０に基づいて編集実行順序を規定するリストを作成するリスト作成手段として、ＥＤＬ作成装置３４Ａ〜３４Ｎを適用するようにした場合について述べたが、本発明はこれに限らず、第２の記憶保持手段３２及び３３に記憶保持された高圧縮された映像信号Ｄ２０に基づいて編集実行順序を規定するリストを作成することができれば、この他種々のリスト作成手段を適用するようにしても良い。
【００８１】
さらに上述の実施の形態においては、第２の記憶保持手段３２及び３３に記憶保持された高圧縮された映像信号Ｄ２１に基づく映像を表示する映像表示手段として、参照閲覧装置４３Ａ〜４３Ｎを適用するようにした場合について述べたが、本発明はこれに限らず、第２の記憶保持手段３２及び３３に記憶保持された高圧縮された映像信号Ｄ２１に基づく映像を表示することができれば、この他種々の映像表示手段を適用するようにしても良い。
【００８２】
さらに上述の実施の形態においては、リスト作成手段３４Ａ〜３４Ｎにおいて作成されたリストに基づいて、第１の記憶保持手段３０に記憶保持された非圧縮又は低圧縮された映像信号Ｄ１０を加工編集する編集手段として、ＥＤＬ実行装置４０Ａ〜４０Ｃを適用するようにした場合について述べたが、本発明はこれに限らず、リスト作成手段３４Ａ〜３４Ｎにおいて作成されたリストに基づいて、第１の記憶保持手段３０に記憶保持された非圧縮又は低圧縮された映像信号Ｄ１０を加工編集することができれば、この他種々の編集手段を適用するようにしても良い。
【００８３】
さらに上述の実施の形態においては、本発明をニユース番組制作放送システム２０に適用するようにした場合について述べたが、本発明はこれに限らず、供給される映像信号を加工編集し得るこの他種々の映像信号処理装置に適用するようにしても良い。
【００８４】
【発明の効果】
上述のように本発明によれば、供給される非圧縮又は低圧縮された映像信号を記憶保持する第１の記憶保持手段と、供給される非圧縮又は低圧縮された映像信号を高圧縮して記憶保持する第２の記憶保持手段と、第２の記憶保持手段に記憶保持された高圧縮された映像信号に基づいて編集実行順序を規定するリストを作成するリスト作成手段と、第２の記憶保持手段に記憶保持された高圧縮された映像信号に基づく映像を表示する映像表示手段と、リスト作成手段において作成されたリストに基づいて、第１の記憶保持手段に記憶保持された非圧縮又は低圧縮された映像信号を加工編集し、当該加工編集した映像信号を出力する編集手段とを設け、編集手段において加工編集した映像信号の出力先とは別に当該加工編集した映像信号を第２の記憶保持手段に供給し、当該第２の記憶保持手段においてその加工編集された映像信号を高圧縮して記憶保持し、映像表示手段において、第２の記憶保持手段に記憶保持された加工編集された映像信号に基づく映像を表示させるようにしたことにより、第２の記憶保持手段に接続し得る映像表示手段の数を大幅に増加させることができ、これにより映像表示手段を番組制作を行う複数の部屋にそれぞれ配置してその部屋で番組作成に携わる関連業務者に自室から実際に放送されるニユース映像の編集結果をその放送の前に確認させることができ、かくして番組制作の作業効率を向上し得る映像信号処理装置を実現することができる。
【００８５】
また本発明によれば、供給される非圧縮又は低圧縮された映像信号を第１の記憶保持手段に記憶保持する一方、当該映像信号を高圧縮して第２の記憶保持手段に記憶保持し、当該第２の記憶保持手段に記憶保持された高圧縮された映像信号に基づいて編集実行順序を規定するリストを作成し、当該作成されたリストに基づいて、第１の記憶保持手段に記憶保持された非圧縮又は低圧縮された映像信号を加工編集し、当該加工編集した映像信号を出力すると共に、その加工編集された映像信号を出力先とは別に取り込んで高圧縮して第２の記憶保持手段に記憶保持すると共に、当該加工編集された映像信号に基づく映像を表示するようにしたことにより、番組作成に携わる複数の関連業務者がそれぞれ自室に居ながらにして実際に放送されるニユース映像の編集結果をその放送の前に確認することができ、かくして番組制作の作業効率を向上し得る映像信号処理方法を実現することができる。
【図面の簡単な説明】
【図１】本発明によるニユース番組制作放送システムの一実施の形態を示すブロツク図である。
【図２】システム制御部によつて制御される各種処理の説明に供する略線図である。
【図３】従来のニユース番組制作放送システムの構成を示すブロツク図である。
【符号の説明】
２０……ニユース番組制作放送システム、２６……システム制御部、３０……デイリーサーバ、３１……入力バツフア装置、３２……エンコーダ部、３３……クリツプサーバ、３４Ａ〜３４Ｎ……ＥＤＬ作成装置、３５……外部記憶装置、４０Ａ〜４０Ｃ……ＥＤＬ実行装置、４１……オンエアサーバ、４３Ａ〜４３Ｎ……参照閲覧装置。
【図１】
0003900383.tif 000002
【図２】
0003900383.tif 000003
【図３】
0003900383.tif 000004